(57)【特許請求の範囲】
【請求項１】
略中央に形成されて電子部品の回転軸が挿通可能である孔及び周辺に形成されて回転軸の回転をロックする為の凹凸を備える受け台と、
略中央に形成されて前記電子部品の回転軸の一部が挿入される回転軸受容部及び該回転軸受容部の軸方向に交差する方向に穿孔されてバネを収容したバネ受容部及び該バネ受容部に連なって側周面に形成された押しボタン受容部を備える摘まみと、
前記バネ受容部に挿入する案内ピン及び前記受け台に設けられた凹凸と歯合して回転軸の回転をロックする為の凹凸を備えると共に前記押しボタン受容部に組み込まれて前記バネの弾撥力に抗して押し込み自在である押しボタンと
からなることを特徴とする回転軸のロック機構。
【発明の詳細な説明】
【０００１】
【発明の属する技術分野】
本発明は、ロータリ・スイッチや可変抵抗器（ボリュウム）などの電子部品に於ける回転軸に付設して好適な回転軸のロック機構に関する。
【０００２】
【従来の技術】
一般に、電気・電子機器の制御部や測定器などに用いられているスイッチや可変抵抗器などに於いて、スイッチの接続状態や抵抗値の設定位置が不用意に変更されない為、ロック機構を必要とするものは多い。
【０００３】
従来、例えば、ロック機構をもつ回転スイッチの場合、回転軸に取り付けた摘まみを押し込むか或いは引き出すことでロックを解除した後、回転軸を回転させて接続状態を変える機構になっている。
【０００４】
また、ロック機構をもつトグル・スイッチの場合、トグルを引き出してロックを解除した後、トグルを揺動して接続状態を変える機構になっている。
【０００５】
何れにしても、ロック機構はスイッチ機構と一体化されていて、勿論、分離することはできないし、そのロック機構を既存のスイッチに付加してロック機能をもたせることもできない。
【０００６】
【発明が解決しようとする課題】
本発明は、通常のロータリ・スイッチや可変抵抗器など回転軸をもつ電子部品に簡単に取り付けて容易にロック機能をもたせることができるようにする。
【０００７】
【課題を解決するための手段】
本発明は、ロータリ・スイッチや可変抵抗器などの電子部品に於ける回転軸に取り付ける摘まみにロック機能をもたせることが基本になっていて、そのロック機構は摘まみ及びその受け台からなっていて、電気・電子機器の制御部や測定器などの筐体に於けるパネルに簡単に取り付けられる。
【０００８】
前記したところから、本発明に依る回転軸のロック機構では、略中央に形成されて電子部品の回転軸（例えばロータリ・スイッチ回転軸６Ａ）が挿通可能である孔（例えば回転軸貫通孔１Ａ）及び周辺に形成されて回転軸の回転をロックする為の凹凸（例えばロック用凹部１Ｂ）を備える受け台（例えば受け台１）と、略中央に形成されて前記電子部品の回転軸の一部が挿入される回転軸受容部（例えば回転軸受容部２Ａ）及び該回転軸受容部の軸方向に交差する方向に穿孔されてバネ（例えばコイルバネ４）を収容したバネ受容部（例えばバネ受容部２Ｃ）及び該バネ受容部に連なって側周面に形成された押しボタン受容部（例えば押しボタン受容部２Ｄ）を備える摘まみ（例えば摘まみ２）と、前記バネ受容部に挿入する案内ピン（例えば案内ピン３Ａ）及び前記受け台に設けられた凹凸と歯合して回転軸の回転をロックする為の凹凸（例えばロック用凸部３Ｂ）を備えると共に前記押しボタン受容部に組み込まれて前記バネの弾撥力に抗して押し込み自在である押しボタン（例えば押しボタン３）とからなることを特徴とする。
【０００９】
前記手段を採ることに依り、既存のロータリ・スイッチや可変抵抗器などの電子部品を電気・電子機器の制御部や測定器などの筐体に於けるパネルに取り付ける際、本発明に依る回転軸のロック機構を付設することで、当該電子部品に於ける回転軸にロック機能をもたせることができ、従って、その設定位置が不用意に変化することは無くなって作業の信頼性は向上する。
【００１０】
また、本発明に依る回転軸のロック機構を付設することで、従来の摘まみの取り付けに比較して余分になる作業は受け台の取り付けだけであるから、その実施に何らの困難もない。
【００１１】
【発明の実施の形態】
図１は本発明に於ける実施の形態１を説明する為の回転軸のロック機構を表す要部説明図であり、（Ａ）は要部分解斜面、（Ｂ）は摘まみの要部斜面、（Ｃ）は摘まみの要部切断平面をそれぞれ表している。
【００１２】
図１に於いて、１は受け台、１Ａは回転軸貫通孔、１Ｂはロック用凹部、２は摘まみ、２Ａは回転軸受容部、２Ｂは回転軸固定ネジの挿入部、２Ｃはバネ受容部、２Ｄは押しボタン受容部、３は押しボタン、３Ａは案内ピン、３Ｂはロック用凸部、４はコイルバネ、５は回転軸固定ネジ、６はロータリ・スイッチ、６Ａはロータリ・スイッチ回転軸、７は受け台固定ネジ、８は筐体パネル、８Ａは回転軸挿通孔、８Ｂは受け台固定ネジの挿通孔をそれぞれ示している。
【００１３】
図１（Ａ）には、回転軸のロック機構を分解して示してあり、図１の（Ｂ）には、摘まみ２と押しボタン３とを組み合わせて示してあり、図１の（Ｃ）には、受け台１のロック用凹部１Ｂと押しボタン３のロック用凸部３Ｂとが歯合する状態を示してある。
【００１４】
図２は本発明に於ける実施の形態１を説明する為の回転軸のロック機構を表す要部切断側面図であり、図１に於いて用いた記号と同記号は同部分を表すか或いは同じ意味を持つものとする。
【００１５】
図１及び図２を参照しつつ、本発明に依る回転軸のロック機構を組み立てる場合、及び、それを使用する場合について説明する。
【００１６】
筐体パネル８の回転軸挿通孔８Ａにロータリ・スイッチ６の回転軸６Ａを挿通し、回転軸６Ａに固定ネジ６Ｂを嵌挿して締めつけ、ロータリ・スイッチ６を筐体パネル８に固着する。
【００１７】
受け台１の回転軸貫通孔１Ａにロータリ・スイッチ６の回転軸６Ａを挿通する状態で筐体パネル８上に受け台１を配設し、受け台固定ネジ７を筐体パネル８の挿通孔８Ｂを介して受け台１にねじ込んで固着する。
【００１８】
摘まみ２のバネ受容部２Ｃにはコイルバネ４を嵌挿し、コイルバネ４内には押しボタン３の案内ピン３Ａを挿通し、その状態で、摘まみ２の回転軸受容部２Ａにロータリ・スイッチ回転軸６Ａの先端を挿通し、回転軸固定ネジ５を回転軸固定ネジの挿入部２Ｂにねじ込んで、摘まみ２をロータリ・スイッチ回転軸６Ａに固定する。
【００１９】
前記状態では、押しボタン３に於けるロック用凸部３Ｂと受け台１に於けるロック用凹部１Ｂとは歯合した状態にあって、押しボタン３の外表面は摘まみ２の外表面の一部をなすように同一面にあり、そして、押しボタン３は、受け台１に依って抑止されている為、コイルバネ４で付勢されていても、押しボタン３が摘まみ２から脱出するおそれはない。
【００２０】
前記のようにして組み立てた回転軸のロック機構では、ロータリ・スイッチ６の切り換えを行なう必要が生じた場合、押しボタン３をコイルバネ４の弾撥力に抗して摘まみ２内に押し込み、受け台１に於けるロック用凹部１Ｂと押しボタン３に於けるロック用凸部３Ｂとの係合を解除することで、摘まみ２、従って、ロータリ・スイッチ６の回転軸６Ａは回転自在になるから、必要とする切り替え位置、即ち、ロック用凹部１Ｂのどれかを選択し、再び、ロック用凸部３Ｂを歯合させれば良い。
【００２１】
図３は本発明に於ける実施の形態２を説明する為の回転軸のロック機構を表す要部切断側面図であり、図１及び図２に於いて用いた記号と同記号は同部分を表すか或いは同じ意味を持つものとする。
【００２２】
実施の形態２に於ける回転軸のロック機構が実施の形態１に於ける回転軸のロック機構と相違する点は、受け台１の底面は平坦であって、その裏面には突起１Ｃが形成され、突起１Ｃは筐体パネル８に形成された穿孔８Ｂと嵌合して回り止めの役割を果たしている。
【００２３】
また、受け台１の中央には、周囲がカラー１Ｄで囲まれ、ロータリ・スイッチ６の回転軸６Ａ及び根元の螺条部分を挿通可能な円形の開口１Ｅが形成され、開口１Ｅの周縁には、ロータリ・スイッチ６の固定ネジ６Ｂが掛かるようになっている。
【００２４】
実施の形態２は、前記した構成が付加されているので、受け台１とロータリ・スイッチ６とは、固定ネジ６Ｂを締め付けるだけで両方とも筐体パネル８に簡単且つ容易に固着することができ、しかも、突起１Ｃと穿孔８Ｂとが係合している為、受け台１が筐体パネル８に対して回動することは皆無である。
【００２５】
本発明に於いては、前記説明した実施の形態に限られることなく、また、特許請求の範囲を逸脱することなく、他に多くの改変を実現することができ、例えば受け台１に形成したロック用凹部１Ｂ及び押しボタン３に形成したロック用凸部３Ｂは、その凹凸関係を逆にしても良いことは云うまでもない。
【００２６】
【発明の効果】
本発明に依る回転軸のロック機構に於いては、略中央に形成されて電子部品の回転軸を挿通可能とする孔及び周辺に形成されて回転軸の回転をロックする為の凹凸を備える受け台と、略中央に形成されて前記電子部品の回転軸の一部が挿入される回転軸受容部及び該回転軸受容部の軸方向に交差する方向に穿孔されてバネを収容したバネ受容部及び該バネ受容部に連なって側周面に形成された押しボタン受容部を備える摘まみと、前記バネ受容部に挿入する案内ピン及び前記受け台に設けられた凹凸と歯合して回転軸の回転をロックする為の凹凸を備えると共に前記押しボタン受容部に組み込まれて前記バネの弾撥力に抗して押し込み自在である押しボタンとからなる。
【００２７】
前記手段を採ることに依り、既存のロータリ・スイッチや可変抵抗器などの電子部品を電気・電子機器の制御部や測定器などの筐体に於けるパネルに取り付ける際、本発明に依る回転軸のロック機構を付設することで、当該電子部品に於ける回転軸にロック機能をもたせることができ、従って、その設定位置が不用意に変化することは無くなって作業の信頼性は向上する。
【００２８】
また、本発明に依る回転軸のロック機構を付設することで、従来の摘まみの取り付けに比較して余分になる作業は受け台の取り付けだけであるから、その実施に何らの困難もない。
【図面の簡単な説明】
【図１】本発明に於ける実施の形態１を説明する為の回転軸のロック機構を表す要部説明図である。
【図２】本発明に於ける実施の形態１を説明する為の回転軸のロック機構を表す要部切断側面図である。
【図３】本発明に於ける実施の形態２を説明する為の回転軸のロック機構を表す要部切断側面図である。
【符号の説明】
１  受け台
１Ａ  回転軸貫通孔
１Ｂ  ロック用凹部
２  摘まみ
２Ａ  回転軸受容部
２Ｂ  回転軸固定ネジの挿入部
２Ｃ  バネ受容部
２Ｄ  押しボタン受容部
３  押しボタン
３Ａ  案内ピン
３Ｂ  ロック用凸部
４  コイルバネ
５  回転軸固定ネジ
６  ロータリ・スイッチ
６Ａ  ロータリ・スイッチ回転軸
６Ｂ  ロータリ・スイッチ固定ネジ
７  受け台固定ネジ
８  筐体パネル
８Ａ  回転軸挿通孔
８Ｂ  受け台固定ネジの挿通孔
【図１】
0003593649.tif 000002
【図２】
0003593649.tif 000003
【図３】
0003593649.tif 000004